(57)【要約】【課題】結線作業が容易なリモートコントロール式回路遮断器を提供する。【解決手段】主接点装置１３ａ，１３ｂがそれぞれ挿入された２つの主電路Ｌａ，Ｌｂを有する。主接点装置１３ａ，１３ｂは、接点開閉装置１４が異常電流の通過を検出すると強制的に開極される。主接点装置１３ａと負荷側端子１２ａとの間には副接点装置１５ａが挿入され、副接点装置１５ａは遠隔開閉装置１６に設けた電磁石装置により開閉される。電磁石装置のコイル１６ｘは主電路Ｌｂにおいて電源側端子１１ｂと主接点装置１３ｂとの間から分岐し遠隔制御端子１８に至る経路に挿入される。したがって、遠隔制御端子１８と電源側端子１１ｂとの間に電源を接続すればコイル１６ｘに通電され、副接点装置１５ａが開閉される。【選択図】        図１
2006185878.tif 000002
【特許請求の範囲】
【請求項１】
器体に設けた負荷側接続部および複数の電源側接続部と、負荷側接続部と対になる電源側接続部との間に形成される主電路に挿入される主接点装置と、主接点装置の閉極時に主電路における異常電流の通過を検出し異常電流の通過時に主接点装置を強制的に開極させる接点開閉装置と、主電路において主接点装置と直列に接続された副接点装置と、電磁石装置を備え当該電磁石装置により副接点装置を開閉駆動する遠隔開閉装置と、１つの電源側接続部に電磁石装置のコイルを介して接続される１つの遠隔制御接続部とを備え、遠隔制御接続部にコイルを介して接続されている電源側接続部と遠隔制御接続部との間に電源から電流が流れる経路が形成されることによりコイルに通電されることを特徴とするリモートコントロール式回路遮断器。
【請求項２】
単相三線式の配線路に接続され、前記遠隔制御接続部と前記コイルを介して接続される前記電源側接続部が中性極であることを特徴とする請求項１記載のリモートコントロール式回路遮断器。
【請求項３】
前記接点開閉装置は前記器体から外部に露出し手動操作により前記主接点装置を開閉させるハンドルを備え、前記主電路において前記主接点装置と前記負荷側接続部との間から前記遠隔制御接続部に分岐する経路が形成されていることを特徴とする請求項１または請求項２記載のリモートコントロール式回路遮断器。
【請求項４】
単相三線式の配線路に接続され、前記電源側接続部は３つであって各電圧極と中性極とにそれぞれ接続され、前記負荷側接続部は２つであって各電圧極に接続された電源側接続部との間にそれぞれ主電路を形成し、前記主接点装置と前記副接点装置とは各主電路にそれぞれ挿入され、前記遠隔制御接続部は両副接点装置を開閉駆動する遠隔開閉装置のコイルを介して中性極の電源側接続部と接続されることを特徴とする請求項１記載のリモートコントロール式回路遮断器。
【請求項５】
前記電源側接続部は厚み方向に離間して積み重ねられ平行に配置された帯板状の導電バーが差し込まれる受けばねを備えることを特徴とする請求項１ないし請求項４のいずれか１項に記載のリモートコントロール式回路遮断器。
【発明の詳細な説明】
【技術分野】
【０００１】
本発明は、リモートコントロール式回路遮断器に関するものである。
【背景技術】
【０００２】
従来から提供されているリモートコントロール式回路遮断器（以下、「リモコンブレーカ」と略称する）としては、電源側端子と負荷側端子との間の主電路に挿入された主接点装置と、主電路に異常電流が流れたときに主接点装置を開極させる接点開閉装置と、外部からの制御信号により主接点装置の開閉状態を反転させるように主接点装置を駆動する遠隔開閉装置と、遠隔開閉装置に制御信号を与えるための外部電線が接続される遠隔制御端子とを備えるものが知られている（たとえば、特許文献１参照）。
【０００３】
特許文献１に記載されたリモコンブレーカでは、いわゆる分電盤協約寸法（ＪＩＳ規格における電灯配線用しゃ断器の寸法）における単位寸法の器体に上述した構成を１極分設けている。このリモコンブレーカを分電盤に取り付けるときには、必要な極数分の器体を連接して配置するとともに、同寸法の器体に収納した漏電検出装置を必要に応じて連接して配置する。漏電検出装置は負荷回路における漏電の有無を検出し、漏電の発生を検出すると引き外し用電磁石を動作させるように構成されている。引き外し用電磁石は、連接して配置されるリモコンブレーカの接点開閉装置に機械的に結合され、漏電の発生により引き外し用電磁石が動作するとリモコンブレーカの接点開閉装置を駆動し、主接点装置を開極させる。
【０００４】
一方、図８に示すように、遠隔開閉装置１６は、励磁用のコイル１６ｘに通電する向きに応じてプランジャ（図示せず）を進退させるように構成された双安定型の有極電磁石装置と、コイル１６ｘの一端に接続される共通接点および共通接点と選択的に接続される２つの切換接点を備える切換スイッチ１７と、切換スイッチ１７の各切換接点に一端が接続された２個のダイオードＤ１，Ｄ２とを備える。ダイオードＤ１，Ｄ２の他端は遠隔制御端子１８ａに接続される。ここに、図示例ではダイオードＤ１はアノードが遠隔制御端子１８ａに接続され、ダイオードＤ２はカソードが遠隔制御端子１８ａに接続されている。また、コイル１６ｘの他端は遠隔制御端子１８ｂに接続される。特許文献１では切換スイッチ１７として小型スイッチを用いている。
【０００５】
遠隔制御端子１８ａ，１８ｂに与える制御信号は、２個の切換接点を有した操作スイッチＳＷと、操作スイッチＳＷの切換接点にそれぞれ一端が接続され他端が遠隔制御端子１８ａに接続される２個のダイオードＤ３，Ｄ４とを備える操作回路２１を用い、操作スイッチＳＷの共通接点と遠隔制御端子１８ｂとの間に交流電源ＡＣを接続することによって与えられる。図示例ではダイオードＤ３はカソードが遠隔制御端子１８ａに接続され、ダイオードＤ４はアノードが遠隔制御端子１８ａに接続されている。つまり、遠隔制御端子１８ａを挟んでダイオードＤ１とダイオードＤ３とが順直列に接続され、遠隔制御端子１８ａを挟んでダイオードＤ２とダイオードＤ４とが順直列に接続される。
【０００６】
したがって、図８に示すように、切換スイッチ１７がダイオードＤ１を選択している状態では、操作スイッチＳＷでダイオードＤ３を選択すれば、交流電源ＡＣからダイオードＤ３，Ｄ１とコイル１６ｘとを通る経路で電流が流れるから遠隔開閉装置１６が動作する。遠隔開閉装置１６が動作すると主接点装置の開閉状態が反転し、また切換スイッチ１７の接点位置が反転してダイオードＤ２が選択される。つまり、交流電源ＡＣからコイル１６ｘへの通電が停止し、有極電磁石装置の位置が維持される。次に、操作スイッチＳＷでダイオードＤ４を選択すれば、交流電源ＡＣからコイル１６ｘとダイオードＤ２，Ｄ４とを通る経路で電流が流れるから遠隔開閉装置１６が動作する。このとき、操作スイッチＳＷでダイオードＤ３を選択しているときとは逆向きの電流がコイル１６ｘを通過するから、主接点装置の開閉状態が反転し、また切換スイッチ１７の接点位置が反転してダイオードＤ１が選択された図８の状態に戻る。このように、操作スイッチＳＷの操作によって主接点装置の開閉状態を制御することが可能になる。
【０００７】
ところで、図９に示すように、複数個のリモコンブレーカＢを分電盤Ｃの中に収納し、各リモコンブレーカＢの主接点装置の開閉状態を制御する操作回路２１を接続するには、分電盤Ｃの中に複数個の端子２０ａ，２０ｂを備えた端子台２０を設ける。ここでは、一般的な例として、分電盤Ｃの中で主幹ブレーカ（図示せず）からの幹線に接続された交流電源ＡＣの配線路を単相三線式とする。すなわち、図９においては幹線となる３本の導電バーＤａ，Ｄｂ，Ｄｃを配置しているものとする。
【０００８】
端子台２０に設けた１つの端子２０ｂは中性極（Ｎ相）の導電バーＤｂに接続線２３を用いて接続され、残りの端子２０ａにはリモコンブレーカＢの遠隔制御端子１８ｂがそれぞれ接続線２２を用いて接続される。ここに、図８に示した構成例では、遠隔制御端子１８ａに操作回路２１を接続しているが、図９の例では遠隔制御端子１８ｂに操作回路２１を接続している。したがって、遠隔制御端子１８ａが交流電源ＡＣに接続される。つまり、各リモコンブレーカＢの遠隔制御端子１８ａはそれぞれ接続線２４を用いて送り配線がなされ、分電盤Ｃの上部に配置した保護素子としてのヒューズＦを介して１つの電圧極（図示例ではＲ相）に接続される。
【０００９】
また、図８に示した構成例では、主接点装置と接点開閉装置と遠隔開閉装置と遠隔制御端子とを１つの器体に１極分ずつ設ける場合を想定しているが、図９に示す構成例では２極分の主接点装置と２極分の主接点装置に共用した接点開閉装置とを含む遮断機能部Ｂｏを１つの器体に設け、１つの遠隔開閉装置を用いて遮断機能部Ｂｏが２極分の主接点装置を開閉するように構成してある。したがって、各リモコンブレーカＢは２極分の電源側端子１１ａ，１１ｂと２極分の負荷側端子１２ａ，１２ｂを備える。電源側端子１１ａは一方の電圧極に接続され、電源側端子１１ｂは中性極に接続される。
【００１０】
一方、操作回路２１の一端は端子台２０に設けた端子２０ａに接続され、操作回路２１の他端は接続線２５を用いて送り配線がなされ端子台２０において中性極の導電バーＤｂと接続した端子２０ｂに接続される。このような接続関係により、各操作回路２１の一端が交流電源ＡＣの中性極に接続され、各操作回路２１の他端が２つの遠隔制御端子１８ａ，１８ｂの一方に接続され、さらに遠隔制御端子１８ａ，１８ｂの他方が保護素子としてのヒューズＦを介して交流電源の１つの電圧極に接続されるのである。
【特許文献１】特開平８−２６４０９７号公報
【発明の開示】
【発明が解決しようとする課題】
【００１１】
上述したように、遠隔制御端子１８ａ，１８ｂの一方（図示例では遠隔制御端子１８ｂ）と端子台２０の端子２０ａとを結線する接続線２２のほか、中性極を端子２０ｂに接続する接続線２３、遠隔制御端子１８ａの送り配線用の接続線２４、操作回路２１の間の接続線２５が必要であり、接続線２２〜２５の接続箇所がそれぞれ異なっているから、接続線２２〜２５の接続箇所の確認作業に手間がかかるという問題が生じる。とくに、リモコンブレーカＢの遠隔制御端子１８ａには、端子台２０との接続線２３と送り配線用の接続線２４とを接続するから、誤配線を生じやすいという問題がある。
【００１２】
本発明は上記事由に鑑みて為されたものであり、その目的は、複数台を用いる場合の結線作業が容易になるリモートコントロール式回路遮断器を提供することにある。
【課題を解決するための手段】
【００１３】
請求項１の発明は、器体に設けた負荷側接続部および複数の電源側接続部と、負荷側接続部と対になる電源側接続部との間に形成される主電路に挿入される主接点装置と、主接点装置の閉極時に主電路における異常電流の通過を検出し異常電流の通過時に主接点装置を強制的に開極させる接点開閉装置と、主電路において主接点装置と直列に接続された副接点装置と、電磁石装置を備え当該電磁石装置により副接点装置を開閉駆動する遠隔開閉装置と、１つの電源側接続部に電磁石装置のコイルを介して接続される１つの遠隔制御接続部とを備え、遠隔制御接続部にコイルを介して接続されている電源側接続部と遠隔制御接続部との間に電源から電流が流れる経路が形成されることによりコイルに通電されることを特徴とする。
【００１４】
従来構成では、主電路に挿入した主接点装置を、異常電流に応答する接点開閉装置と制御信号に応答する遠隔開閉装置とで開閉していたのに対して、本発明では、接点開閉装置が開閉する主接点装置とは別に、遠隔開閉装置が開閉する副接点装置を設け、副接点装置を主接点装置と直列に接続し、さらに、遠隔開閉装置を動作させるのに必要な交流電源を１つの電源側接続部と遠隔開閉装置との間に電源を接続することにより供給する構成を採用している。この構成によって、遠隔開閉装置の動作を制御するための外部回路と遠隔制御接続部との間には１本の接続線を設ければよく、複数個の器体を並設する場合に従来構成のような送り配線が不要であって、結線が単純化されてわかりやすく結線作業が容易になる。
【００１５】
請求項２の発明では、請求項１の発明において、単相三線式の配線路に接続され、前記遠隔制御接続部と前記コイルを介して接続される前記電源側接続部が中性極であることを特徴とする。
【００１６】
この構成によれば、遠隔制御接続部に結線していない状態では遠隔制御接続部には中性極が接続されているだけであるから、誤って触れても感電することがない。
【００１７】
請求項３の発明では、請求項１または請求項２の発明において、前記接点開閉装置は前記器体から外部に露出し手動操作により前記主接点装置を開閉させるハンドルを備え、前記主電路において前記主接点装置と前記負荷側接続部との間から前記遠隔制御接続部に分岐する経路が形成されていることを特徴とする。
【００１８】
この構成によれば、ハンドルにより主接点装置を開極させると、コイルに通電されなくなるから、作業時に不用意に動作することがなく、遠隔制御接続部に接続される外部回路において副接点装置が閉極するように指示されたとしても、ハンドルによって主接点装置を開極させておけば負荷回路に不用意に通電されることがなく、安全に作業することができる。
【００１９】
請求項４の発明では、請求項１の発明において、単相三線式の配線路に接続され、前記電源側接続部は３つであって各電圧極と中性極とにそれぞれ接続され、前記負荷側接続部は２つであって各電圧極に接続された電源側接続部との間にそれぞれ主電路を形成し、前記主接点装置と前記副接点装置とは各主電路にそれぞれ挿入され、前記遠隔制御接続部は両副接点装置を開閉駆動する遠隔開閉装置のコイルを介して中性極の電源側接続部と接続されることを特徴とする。
【００２０】
この構成によれば、負荷に印加する電圧に対してコイルに印加する電圧が２分の１であるから、遠隔制御接続部に接続する電線の耐圧を負荷に接続する電線の耐圧よりも低くすることができる。
【００２１】
請求項５の発明では、請求項１ないし請求項４の発明において、前記電源側接続部は厚み方向に離間して積み重ねられ平行に配置された帯板状の導電バーが差し込まれる受けばねを備えることを特徴とする。
【００２２】
この構成によれば、コイルに通電するための２経路のうちの一方は電線を用いることなく導電バーを受けばねに差し込むだけで接続でき、コイルに通電するために２個の遠隔制御接続部を設ける場合に比較すると器体の大型化が避けられる。
【発明の効果】
【００２３】
本発明の構成によれば、接点開閉装置が開閉する主接点装置とは別に、遠隔開閉装置が開閉する副接点装置を設け、副接点装置を主接点装置と直列に接続し、さらに、遠隔開閉装置を動作させるのに必要な交流電源を１つの電源側接続部と遠隔開閉装置との間に電源を接続することにより供給する構成を採用しているから、遠隔開閉装置の動作を制御するための外部回路と遠隔制御接続部との間には１本の接続線を設ければよく、複数個の器体を並設する場合に従来構成のような送り配線が不要であって、結線が単純化されてわかりやすく結線作業が容易になるという利点を有する。
【発明を実施するための最良の形態】
【００２４】
以下に説明するリモートコントロール式回路遮断器（リモコンブレーカ）では、２極の主電路を有する構成を例示するが、１極しか主電路を持たない構成あるいは３極以上の主電路を有する構成でも本発明の技術思想を適用可能である。
【００２５】
（実施形態１）
本実施形態は、図１に模式的に示すように、２極のリモコンブレーカであって、電圧極（Ｒ相）用と中性極（Ｎ相）用との２個の電源側端子１１ａ，１１ｂと、各電源側端子１１ａ，１１ｂにそれぞれ主電路Ｌａ，Ｌｂを介して接続される２個の負荷側端子１２ａ，１２ｂとを器体１に備える。各主電路Ｌａ，Ｌｂにはそれぞれ主接点装置１３ａ，１３ｂが挿入される。
【００２６】
器体１の端部には、帯板状の導電バーＤａ，Ｄｂ，Ｄｃの一部が差し込まれる受け溝１ａ，１ｂ，１ｃが並設される。本実施形態では、３枚の導電バーＤａ，Ｄｂ，Ｄｃは厚み方向に離間して積み重ねられ、かつ平行に配置されているから、各導電バーＤａ，Ｄｂ，Ｄｃをそれぞれ導入できるように３個の受け溝１ａ，１ｂ，１ｃが器体１に設けられている。図示する構成例では、電圧極としてＲ相を用いる例を示しており、電源側端子１１ａ，１１ｂを受け溝１ａ，１ｂに設けているが、電圧極としてＴ相を用いる場合には、受け溝１ｂ，１ｃに電源側端子１１ａ，１１ｂを設ける（受け溝１ｂが電源側端子１１ｂ、受け溝１ｃが電源側端子１１ａになる）。電源側端子１１ａ，１１ｂは導電バーＤａ，Ｄｂ，Ｄｃとの電気的接続が必要な受け溝１ａ，１ｂの中に配設された受けばね１１からなる。受けばね１１は、断面逆Ω字状であって導電バーＤａ，Ｄｂの幅方向の一側部が差し込まれ導電バーＤａ，Ｄｂを厚み方向の両側から挟持する。一方、負荷側端子１２ａ，１２ｂは、電線ないし電線に接続した端子を端子ねじの頭部と端子板との間で挟み込むねじ付き端子を用いるが、板ばねのばね力を利用して電線を保持する速結端子を用いてもよい。
【００２７】
器体１内において、各主電路Ｌａ，Ｌｂにはそれぞれ主接点装置１３ａ，１３ｂが挿入される。電圧極に接続される主電路Ｌａには、電源側端子１１ａと主接点装置１３ａとの間に、電磁引き外し装置１４ｘおよびバイメタル１４ｙも挿入される。電磁引き外し装置１４ｘおよびバイメタル１４ｙは、主接点装置１３ａ，１３ｂを開閉させる接点開閉装置１４の構成要素であって、短絡電流や過電流のような異常電流に応答して動作し、ばねとリンクとを組合せて構成されたトリップ機構を作動させ、ばね力を用いて主接点装置１３ａ，１３ｂを強制的に開極させる。接点開閉装置１４は、器体１の一面に突出するハンドル１４ｚを備え、ハンドル１４ｚを起倒させる手動操作によりトリップ機構を作動させることなく主接点装置１３ａ，１３ｂを開閉させる。接点開閉装置１４におけるトリップ機構およびハンドル１４ｚの動作は周知であるから詳述しない。
【００２８】
主電路Ｌａに挿入された主接点装置１３ａと負荷側端子１２ａとの間には副接点装置１５ａを挿入してあり、副接点装置１５ａを開閉することによって電源と負荷との給電経路を入切を可能にしている。つまり、主接点装置１３ａと副接点装置１５ａとは直列接続される。副接点装置１５ａは遠隔開閉装置１６を構成する有極かつ双安定型である電磁石装置（図１には電磁石装置のコイル１６ｘを示している）により駆動される。つまり、従来構成の遠隔開閉装置１６では、器体１に内蔵した切換スイッチ１７の接点位置を切り換えるだけであったが、本実施形態では、遠隔開閉装置１６により副接点装置１５ａの開閉も行う。電磁石装置を構成するコイル１６ｘの一端は切換スイッチ１７の共通接点に接続され、切換スイッチ１７に設けた２つの切換接点の一方にはダイオードＤ１のカソードが接続され他方にはダイオードＤ２のアノードが接続される。また、ダイオードＤ１のアノードとダイオードＤ２のカソードとは遠隔制御端子（遠隔制御接続部）１８に接続される。コイル１６ｘの他端は主電路Ｌｂにおいて電源側端子１１ｂと主接点装置１３ｂとの間に接続される。すなわち、主電路Ｌｂにおいて電源側端子１１ｂと主接点装置１３ｂとの間から分岐した経路に遠隔制御端子１８が設けられる。
【００２９】
上述のように、中性極に接続される主電路Ｌｂに遠隔開閉装置１６のコイル１６ｘを介して遠隔制御端子１８を接続しているから、コイル１６ｘに通電するための電源を主電路Ｌｂから確保することができる。たとえば、切換スイッチ１７が図１に示すようにダイオードＤ１を選択している状態において、主接点装置１３ａ，１３ｂが閉極しているものとし、ダイオードＤ１を通る経路で電流が流れるように遠隔制御端子１８にダイオードを介して１つの電圧極（たとえば、Ｒ相）と接続すると、Ｒ相の電圧極−遠隔制御端子１８−ダイオードＤ１−コイル１６ｘ−主電路Ｌｂ−中性極の経路で電流が流れることにより、遠隔開閉装置１６を作動させることができる。ここで、図１のようにダイオードＤ１を選択しているときに副接点装置１５ａが開極している場合には、上述のようにしてコイル１６ｘに通電することで副接点装置１５ａを閉極させることができる。また、切換スイッチ１７ではダイオードＤ２を選択するから、コイル１６ｘに通電されなくなるが、電磁石装置が有極かつ双安定型であるから副接点装置１５ａは閉極した状態に保たれる。
【００３０】
切換スイッチ１７でダイオードＤ２を選択している状態において、ダイオードＤ２を通る経路で電流が流れるように遠隔制御端子１８に接続するダイオードの向きを逆にすると、中性線−主電路Ｌｂ−コイル１６ｘ−ダイオードＤ２−遠隔制御端子１８−Ｒ相の電圧極の経路で電流が流れることにより、遠隔開閉装置１６を作動させ、副接点装置１５ａを開極させることができる。また、このとき、切換スイッチ１７はダイオードＤ１を選択した状態に戻る。
【００３１】
要するに、両遠隔制御端子１８には、２つの切換接点を有する操作スイッチＳＷと、操作スイッチＳＷの各切換接点にそれぞれ接続された２個のダイオードＤ３，Ｄ４とからなる操作回路２１を介して交流電源ＡＣの一方の電圧極と接続すればよい。ダイオードＤ３はカソードが遠隔制御端子１８に接続され、ダイオードＤ４はアノードが遠隔制御端子１８に接続される。操作スイッチＳＷの共通接点は交流電源ＡＣの電圧極に接続される。操作スイッチＳＷを操作することにより接点位置を切り換えると、遠隔制御端子１８を通して流れる電流の通過方向をダイオードＤ３，Ｄ４によって規定することができ、上述した動作が可能になる。
【００３２】
上述の動作から明らかなように、コイル１６ｘに通電するための電源は、副接点装置１５ａを挿入していない主電路Ｌｂにおいて電源側端子１１ｂと主接点装置１３ｂとの間から分岐した経路と交流電源ＡＣの電圧極との間で得ているから、副接点装置１５ａの開閉にかかわらず確保することができる。
【００３３】
図２は上述した構成のリモコンブレーカＢを分電盤Ｃに収納する場合の接続例を示している。図示例は単相三線式であって、分電盤Ｃには主幹ブレーカ（図示せず）に接続された帯板状の３本の導電バーＤａ，Ｄｂ，Ｄｃが配置される。各リモコンブレーカＢの電源側端子１１ｂは中性極（Ｎ相）の導電バーＤｂに接続され、残りの２つの電圧極（Ｔ相、Ｒ相）の導電バーＤａ，Ｄｃの一方は電源側端子１１ａ（導電バーＤａは受け溝１ａの電源側端子１１ａ、導電バーＤｃは受け溝１ｃの電源側端子１１ａ）に接続される。各リモコンブレーカＢの遠隔制御端子１８は、それぞれ接続線２２を用いて端子台２０に設けた端子２０ａに接続される。端子台２０には遠隔制御端子１８に接続される端子２０ａのほかに、保護素子であるヒューズＦを介して電圧極（Ｒ相）に接続される端子２０ｂも設けられる。また、各端子２０ａには操作回路２１の一端が接続される。操作回路２１の他端は従来構成と同様に接続線２５を用いて送り配線がなされ端子台２０における端子２０ｂに接続されることにより、ヒューズＦを介して電圧極に接続される。
【００３４】
図２から明らかなように、各リモコンブレーカＢごとに遠隔制御端子１８と端子台２０の端子２０ａとの間を接続線２２で接続し、また端子台２０の１つの端子２０ｂにヒューズＦを介して交流電源ＡＣの電圧極を接続すればよく、さらに端子台２０における各端子２０ａ，２０ｂにそれぞれ操作回路２１を接続し、操作回路２１の間では送り配線を行えばよいのであって、遠隔制御端子１８の間での送り配線のための接続線が不要になるから、接続関係がわかりやすく結線作業が容易になる。ここで、図１に示した例では電圧極としてＲ相を用いているが、図２から明らかなように、電圧極としてＴ相を用いることもできるのはもちろんのことである。また、電源側端子１１ａ，１１ｂ、負荷側端子１２ａ，１２ｂ、遠隔制御端子１８としては、他の形式の接続部を採用してもよい。
【００３５】
（実施形態２）
実施形態１の構成では、主電路Ｌｂにおいて電源側端子１１ｂと主接点装置１３ｂとの間から分岐し、コイル１６ｘを介して遠隔制御端子１８を接続しているが、本実施形態では図３に示すように、主電路Ｌｂにおいて主接点装置１３ｂと負荷側端子１２ｂとの間から分岐し、コイル１６ｘを介して遠隔制御端子１８を接続している。
【００３６】
この構成では、ハンドル１６ｚの手動操作により主接点装置１３ａ，１３ｂを開極させれば、遠隔制御端子１８が電源から切り離されるから、作業時の安全性が高くなる。他の構成および使用時の接続関係は実施形態１と同様である。
【００３７】
（実施形態３）
上述した実施形態では、２つの主電路Ｌａ，Ｌｂのうち一方の主電路Ｌａにのみ副接点装置１５ａを挿入する例を示したが、本実施形態は、図４に示すように、２つの主電路Ｌａ，Ｌｂの両方にそれぞれ副接点装置１５ａ，１５ｂを挿入している。各副接点装置１５ａ，１５ｂは、それぞれ主接点装置１３ａ，１３ｂと負荷側端子１２ａ，１２ｂとの間に挿入され、コイル１６ｘを備える１つの電磁石装置により開閉駆動される。また、実施形態１と同様に、主電路Ｌａにおいて電源側端子１１ｂと主接点装置１３ｂとの間から分岐する経路にコイル１６ｘを介して遠隔制御端子１８が接続される。
【００３８】
本実施形態の構成では、負荷への給電経路の往路と復路となる２つの主電路Ｌａ，Ｌｂの両方に主接点装置１３ａ，１３ｂが挿入されるだけではなく、副接点装置１５ａ，１５ｂも挿入されるのであって、実施形態１がいわゆる往路と復路との一方のみに副接点装置１５ａを挿入した片切り型であるのに対して、本実施形態は両切り型になる。他の構成および使用時の接続関係は実施形態１と同様である。
【００３９】
（実施形態４）
本実施形態は、実施形態３と同様に両切り型であり、図５に示すように、２つの主電路Ｌａ，Ｌｂの両方にそれぞれ副接点装置１５ａ，１５ｂを挿入している。各副接点装置１５ａ，１５ｂは、それぞれ主接点装置１３ａ，１３ｂと負荷側端子１２ａ，１２ｂとの間に挿入され、コイル１６ｘを備える１つの電磁石装置により開閉駆動される。また、主電路Ｌａにおいて主接点装置１３ｂと副接点装置１５ｂとの間から分岐する経路にコイル１６ｘを介して遠隔制御端子１８が接続される。
【００４０】
本実施形態の構成では、負荷への給電経路の往路と復路となる２つの主電路Ｌａ，Ｌｂの両方に主接点装置１３ａ，１３ｂが挿入されるだけではなく、副接点装置１５ａ，１５ｂも挿入されるから両切り型になる。他の構成および使用時の接続関係は実施形態２と同様である。
【００４１】
（実施形態５）
実施形態１〜４は、中性極（Ｎ相）と一方の電圧極（Ｒ相またはＴ相）とから負荷に給電する構成であるのに対して、本実施形態では、図６に示すように、２つの電圧極から負荷に給電する構成を採用している。つまり、実施形態１〜４は１００Ｖ用であり、本実施形態は２００Ｖ用に相当する。したがって、本実施形態では、３個の受け溝１ａ，１ｂ，１ｃのそれぞれに電源側端子１１ａ，１１ｂ，１１ｃとなる受けばね１１を配置し、各受けばね１１にそれぞれ導電バーＤａ，Ｄｂ，Ｄｃを接続している。電源側端子１１ａ，１１ｃと負荷側端子１２ａ，１２ｂとの間には主電路Ｌａ，Ｌｃが設けられ、各主電路Ｌａ，Ｌｃにそれぞれ主接点装置１３ａ，１３ｂと副接点装置１５ａ，１５ｂとの直列回路が挿入される。さらに、接点開閉装置１４は各主電路Ｌａ，Ｌｃごとに電磁引き外し装置１４ｘとバイメタル１４ｙとを挿入してある。したがって、異常電流に対して２個ずつの電磁引き外し装置１４ｘとバイメタル１４ｙとが応答することにより、主接点装置１３ａ，１３ｂを強制的に開極させる際の駆動力が大きくなる。
【００４２】
ところで、遠隔開閉装置１６のコイル１６ｘは、中性極に接続される電源側端子１１ｂと遠隔制御端子１８との間に挿入される。つまり、上述した実施形態１〜４と同様にコイル１６ｘは中性極と遠隔制御端子１８との間に挿入される。本実施形態は２００Ｖ用であるから、中性極には負荷側端子を設けていないから接続関係が他の実施形態とは異なっているが、使用時における遠隔制御端子１８に対する接続関係および遠隔開閉装置１６の動作については他の実施形態と同様になる。
【００４３】
本実施形態では、３個の電源側端子１１ａ，１１ｂ，１１ｃを備えるから、図７に示すように、各リモコンブレーカＢがそれぞれ３枚の導電バーＤａ，Ｄｂ，Ｄｃに接続されるが、他の構成および接続関係は上述した各実施形態と同様である。
【図面の簡単な説明】
【００４４】
【図１】本発明の実施形態１を示す概略構成図である。
【図２】同上の使用例を示す回路図である。
【図３】本発明の実施形態２を示す概略構成図である。
【図４】本発明の実施形態３を示す概略構成図である。
【図５】本発明の実施形態４を示す概略構成図である。
【図６】本発明の実施形態５を示す概略構成図である。
【図７】同上の使用例を示す回路図である。
【図８】従来構成を示す要部回路図である。
【図９】同上の使用例を示す回路図である。
【符号の説明】
【００４５】
１  器体
１ａ，１ｂ，１ｃ  受けばね
１１ａ，１１ｂ，１１ｃ  電源側端子（電源側接続部）
１２ａ，１２ｂ  負荷側端子（負荷側接続部）
１３ａ，１３ｂ  主接点装置
１４  接点開閉装置
１４ｚ  ハンドル
１５ａ、１５ｂ  副接点装置
１６  遠隔開閉装置
１６ｘ  コイル
１８ａ，１８ｂ  遠隔制御端子（遠隔制御接続部）
Ｄａ，Ｄｂ，Ｄｃ  導電バー
Ｌａ，Ｌｂ，Ｌｃ  主電路
【図１】
2006185878.tif 000003
【図２】
2006185878.tif 000004
【図３】
2006185878.tif 000005
【図４】
2006185878.tif 000006
【図５】
2006185878.tif 000007
【図６】
2006185878.tif 000008
【図７】
2006185878.tif 000009
【図８】
2006185878.tif 000010
【図９】
2006185878.tif 000011